(57)【要約】【課題】通信時間を長く確保して無線タグ回路素子へのアクセス成功率を向上する。【解決手段】無線タグ情報通信装置２は、ＩＣ回路部１５１を備えた無線タグ回路素子Ｔoを設けた基材テープ１０１を搬送するリボン巻取りローラ駆動軸１１、圧着ローラ駆動軸１２、サブローラ１０９及びプラテンローラ１０８と、基材テープ１０１を搬送中に、無線タグ回路素子Ｔoとの間で無線通信により情報の送受信を行うアンテナ１４と、テープ搬送方向に沿ってアンテナ１４による通信領域をテープ搬送速度に応じて移動制御するアンテナ駆動機構５１、アンテナ駆動用モータ５３及びアンテナ駆動回路５４とを有する。【選択図】  図２
2007047955.tif 000002
【特許請求の範囲】
【請求項１】
ＩＣ回路部を備えた無線タグ回路素子を設けたタグ媒体を搬送する搬送手段と、
前記タグ媒体を搬送中に、前記無線タグ回路素子との間で無線通信により情報の送受信を行う送受信手段と、
前記搬送手段の搬送方向に沿って前記送受信手段による通信領域を当該搬送手段の搬送速度に応じて移動制御する通信領域移動手段とを有することを特徴とする無線タグ情報通信装置。
【請求項２】
請求項１記載の無線タグ情報通信装置において、
前記通信領域移動手段は、少なくとも所定の時間、前記通信領域を前記搬送速度と略同じ速度で移動させることを特徴とする無線タグ情報通信装置。
【請求項３】
請求項１又は２記載の無線タグ情報通信装置において、
前記通信領域移動手段は、前記送受信手段を前記搬送方向に沿って移動させる駆動手段を備えることを特徴とする無線タグ情報通信装置。
【請求項４】
請求項３記載の無線タグ情報通信装置において、
前記送受信手段は、折り曲げダイポールアンテナ又はパッチアンテナであることを特徴とする無線タグ情報通信装置。
【請求項５】
請求項１又は２記載の無線タグ情報通信装置において、
前記送受信手段は、前記搬送手段によるタグ媒体の搬送方向に沿って配置された複数のアンテナを備えており、
前記通信領域移動手段は、前記複数のアンテナそれぞれにおける送受信動作を前記搬送手段の搬送状態に応じて制御するアンテナ制御手段であることを特徴とする無線タグ情報通信装置。
【請求項６】
請求項５記載の無線タグ情報通信装置において、
前記複数のアンテナは、隣接する２つのアンテナそれぞれの通信可能領域が互いに重なるような間隔で、配置されていることを特徴とする無線タグ情報通信装置。
【請求項７】
請求項５又は６記載の無線タグ情報通信装置において、
前記アンテナ制御手段は、前記複数のアンテナそれぞれにおける受信信号強度に応じて、１つのアンテナにおける受信信号を選択して取得する選択取得手段を備えることを特徴とする無線タグ情報通信装置。
【請求項８】
請求項１又は２記載の無線タグ情報通信装置において、
前記送受信手段は、複数のアンテナ素子からなるアンテナを備え、
前記通信領域移動手段は、前記搬送手段の搬送速度に応じ、前記無線タグ回路素子の移動方向に追従して前記複数のアンテナ素子による指向性方向が切り替えられるように、前記アンテナを制御する指向性制御手段であることを特徴とする無線タグ情報通信装置。
【請求項９】
請求項８記載の無線タグ情報通信装置において、
前記指向性制御手段は、前記送受信手段の利得を所定の方向に大きくなるよう保持しつつ、その方向が順次変化するように、前記複数のアンテナ素子の受信信号を位相制御することを特徴とする無線タグ情報通信装置。
【請求項１０】
請求項８又は９記載の無線タグ情報通信装置において、
前記タグ媒体に設けられ前記無線タグ回路素子の位置に対応して設けられた識別子を検出する検出手段を有し、
前記指向性制御手段は、前記検出手段の検出結果に応じて、前記指向性方向が切り替えられるように前記アンテナを制御することを特徴とする無線タグ情報通信装置。
【請求項１１】
請求項８又は９記載の無線タグ情報通信装置において、
前記送受信手段は、前記搬送手段で搬送される前記無線タグ回路素子の位置を検出するための位置検出信号を前記無線タグ回路素子に送信するとともに、前記位置検出信号に応じて前記無線タグ回路素子より送信される応答信号を受信し、
前記指向性制御手段は、前記受信された応答信号に応じて、前記指向性方向が切り替えられるように前記アンテナを制御することを特徴とする無線タグ情報通信装置。
【発明の詳細な説明】
【技術分野】
【０００１】
本発明は、外部と情報の無線通信を行う無線タグ回路素子を備えたタグ媒体を搬送しつつその搬送される無線タグ回路素子と無線通信を行う無線タグ情報通信装置に関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このような無線タグは、通常、ラベル状の素材上に無線タグ回路素子を設けて形成され、このタグラベルが例えば各種書類・物品の分類・整理のために対象物品等に貼り付けられることが多い。またこのとき、内部に記憶された無線タグ情報とは別に、その無線タグ情報に関連した情報をラベルに印字しておくようにすれば、ユーザ側から上記関連情報をラベル上で視認でき何かと便利である。このため、従来、そのような観点からの無線タグ情報通信装置が既に提唱されている(例えば、特許文献１参照)。
【０００４】
この従来技術の無線タグ情報通信装置では、無線タグ回路素子（ＲＦ−ＩＤ素子）を備えたラベルをテープ状の台紙（ラベル紙）に貼り付けたものをロール状（記録媒体）とし、このロールから上記台紙を繰り出して搬送しつつラベルの表面に印字を行った後、上記搬送状態において装置側のアンテナ（通信アンテナ）から無線タグ回路素子へ情報を送信して所定の情報書き込みを行い、これにより印字済のタグラベルを連続的に生成するようになっている（例えば、特許文献１）。
【０００５】
【特許文献１】特開２００４−８２４３２号公報
【発明の開示】
【発明が解決しようとする課題】
【０００６】
上記従来技術では、搬送時にアクセスを行うことで、搬送停止時にアクセスする場合に比べ迅速な処理を行えるようになっている。しかしながら、固定構造の（静止した状態の）装置側アンテナから移動する無線タグ回路素子に対して通信を行うため、十分な通信時間を確保するのが困難となり、無線タグ回路素子へのアクセス成功率が低下する畏れがあった。
【０００７】
本発明の目的は、通信時間を長く確保し無線タグ回路素子へのアクセス成功率を向上できる無線タグ情報通信装置を提供することにある。
【課題を解決するための手段】
【０００８】
上記目的を達成するために、第１の発明は、ＩＣ回路部を備えた無線タグ回路素子を設けたタグ媒体を搬送する搬送手段と、前記タグ媒体を搬送中に、前記無線タグ回路素子との間で無線通信により情報の送受信を行う送受信手段と、前記搬送手段の搬送方向に沿って前記送受信手段による通信領域を当該搬送手段の搬送速度に応じて移動制御する通信領域移動手段とを有することを特徴とする。
【０００９】
無線タグ回路素子を備えたタグ媒体が搬送手段で搬送されるとき、通信領域移動手段で送受信手段の通信領域を搬送方向に沿って移動させることにより、通信領域を当該無線タグ回路素子の移動に追従させることが可能となる。この結果、通信範囲を広げることなく通信時間を長く確保することができるので、無線タグ回路素子へのアクセス成功率を向上することができる。また、同一成功率で足りる場合には、搬送手段による搬送速度を高速化することができ、この場合は通信処理効率を向上することができる。また、通信範囲を広げないので送信電力を必要とせず、他の無線タグに誤ってアクセスすることなく無線タグ回路素子へのアクセスを向上させることができる。
【００１０】
第２発明は、上記第１発明において、前記通信領域移動手段は、少なくとも所定の時間、前記通信領域を前記搬送速度と略同じ速度で移動させることを特徴とする。
【００１１】
これにより、少なくとも所定の時間、通信領域を当該無線タグ回路素子の移動に確実に追従させることができるので、さらに確実に通信時間を長くすることができる。
【００１２】
第３発明は、上記第１又は第２発明において、前記通信領域移動手段は、前記送受信手段を前記搬送方向に沿って移動させる駆動手段を備えることを特徴とする。
【００１３】
無線タグ回路素子を備えたタグ媒体が搬送手段で搬送されるとき、駆動手段で送受信手段自体を移動させることで、その通信領域を搬送方向に沿って移動させ、追従させることができる。
【００１４】
第４発明は、上記第３発明において、前記送受信手段は、折り曲げダイポールアンテナ又はパッチアンテナであることを特徴とする。
【００１５】
無線タグ回路素子を備えたタグ媒体が搬送手段で搬送されるとき、駆動手段で折り曲げダイポールアンテナ又はパッチアンテナを移動させることで、装置を大型化することなく、その通信領域を搬送方向に沿って移動させ、追従させることができる。
【００１６】
第５発明は、上記第１又は第２発明において、前記送受信手段は、前記搬送手段によるタグ媒体の搬送方向に沿って配置された複数のアンテナを備えており、前記通信領域移動手段は、前記複数のアンテナそれぞれにおける送受信動作を前記搬送手段の搬送状態に応じて制御するアンテナ制御手段であることを特徴とする。
【００１７】
それぞれ所定の通信領域をもつ複数のアンテナをタグ媒体の搬送方向に沿って配置して送受信手段を構成し、無線タグ回路素子を備えたタグ媒体が搬送手段で搬送されるとき、アンテナ制御手段で各アンテナの送受信動作を制御することで、送受信手段全体の通信領域を無線タグ回路素子の搬送方向に沿って移動させ、追従させることができる。
【００１８】
第６発明は、上記第５発明において、前記複数のアンテナは、隣接する２つのアンテナそれぞれの通信可能領域が互いに重なるような間隔で、配置されていることを特徴とする。
【００１９】
これにより、搬送される無線タグ回路素子が、搬送途中でいずれのアンテナからも通信できなくなる状態が生じるのを確実に防止でき、連続して通信することができる。
【００２０】
第７発明は、上記第５又は第６発明において、前記アンテナ制御手段は、前記複数のアンテナそれぞれにおける受信信号強度に応じて、１つのアンテナにおける受信信号を選択して取得する選択取得手段を備えることを特徴とする。
【００２１】
これにより、電波環境に応じ、搬送される無線タグ回路素子から最も近いアンテナに限らず、最も強い受信信号強度が得られたアンテナの当該受信信号を用いることで、さらに確実にアクセス成功率を向上することができる。
【００２２】
第８発明は、上記第１又は第２発明において、前記送受信手段は、複数のアンテナ素子からなるアンテナを備え、前記通信領域移動手段は、前記搬送手段の搬送速度に応じ、前記無線タグ回路素子の移動方向に追従して前記複数のアンテナ素子による指向性方向が切り替えられるように、前記アンテナを制御する指向性制御手段であることを特徴とする。
【００２３】
複数のアンテナ素子からなるアンテナで送受信手段を構成し、無線タグ回路素子を備えたタグ媒体が搬送手段で搬送されるとき、指向性制御手段で当該アンテナを制御することにより、複数のアンテナ素子による指向性方向を無線タグ回路素子の搬送方向に沿って移動させ、追従させることができる。
【００２４】
第９発明は、上記第８発明において、前記指向性制御手段は、前記送受信手段の利得を所定の方向に大きくなるよう保持しつつ、その方向が順次変化するように、前記複数のアンテナ素子の受信信号を位相制御することを特徴とする。
【００２５】
指向性制御手段で、送受信手段の利得を所定の方向に大きくなるよう保持しつつ、その方向を順次変化するよう複数のアンテナ素子の受信信号を位相制御するいわゆるフェイズドアレイ制御を行い、複数のアンテナ素子による指向性方向を無線タグ回路素子の搬送方向に沿って移動させ、追従させることができる。また受信信号強度が最大となるように複数のアンテナ素子の受信信号を位相制御することもできる。
【００２６】
第１０発明は、上記第８又は第９発明において、前記タグ媒体に設けられ前記無線タグ回路素子の位置に対応して設けられた識別子を検出する検出手段を有し、前記指向性制御手段は、前記検出手段の検出結果に応じて、前記指向性方向が切り替えられるように前記アンテナを制御することを特徴とする。
【００２７】
これにより、検出手段の検出結果による無線タグ回路素子の位置検出を契機に、指向性制御手段が指向性方向の切替制御を開始することができる。
【００２８】
第１１発明は、上記第８又は第９発明において、前記送受信手段は、前記搬送手段で搬送される前記無線タグ回路素子の位置を検出するための位置検出信号を前記無線タグ回路素子に送信するとともに、前記位置検出信号に応じて前記無線タグ回路素子より送信される応答信号を受信し、前記指向性制御手段は、前記受信された応答信号に応じて、前記指向性方向が切り替えられるように前記アンテナを制御することを特徴とする。
【００２９】
これにより、応答信号の受信による無線タグ回路素子の位置検出を契機に、指向性制御手段が指向性方向の切替制御を開始することができる。
【発明の効果】
【００３０】
本発明によれば、通信時間を長く確保して無線タグ回路素子へのアクセス成功率を向上させることができる。
【発明を実施するための最良の形態】
【００３１】
以下、本発明の実施の形態を図面を参照しつつ説明する。
【００３２】
本発明の第１の実施形態を図１〜図１１により説明する。
【００３３】
図１は、本実施形態の無線タグ情報通信装置が適用される無線タグ生成システムを表すシステム構成図である。
【００３４】
図１に示すこの無線タグ生成システム１において、本実施形態による無線タグ情報通信装置２は、有線あるいは無線による通信回線３を介してルートサーバ４、端末５、汎用コンピュータ６、及び複数の情報サーバ７に接続されている。
【００３５】
図２は、上記無線タグ情報通信装置２の詳細構造を表す概念的構成図である。
【００３６】
図２において、無線タグ情報通信装置２の装置本体８には、凹所としてのカートリッジホルダ部（図示せず）が設けられ、このホルダ部に、カートリッジ１００が着脱可能に取り付けられている。
【００３７】
装置本体８は、カートリッジ１００を嵌合させる上記カートリッジホルダ部を備えるとともに外郭を構成する筐体９と、カバーフィルム１０３に所定の印字（印刷）を行う印字手段としての印字ヘッド（この例ではサーマルヘッド）１０と、カバーフィルム１０３への印字が終了したインクリボン１０５を駆動するリボン巻取りローラ駆動軸１１と、カバーフィルム１０３と基材テープ１０１（タグ媒体）とを貼り合わせつつ印字済タグラベル用テープ１１０（タグ媒体）としてカートリッジ１００から繰り出すための圧着ローラ駆動軸１２と、印字済タグラベル用テープ１１０に備えられる無線タグ回路素子Ｔo（無線タグ回路素子、詳細は後述）との間でＵＨＦ帯等の高周波を用いて無線通信により信号の送受を行う可動式（詳細は後述）のアンテナ１４（送受信手段）と、上記印字済タグラベル用テープ１１０を所定のタイミングで所定の長さに切断しラベル状の無線タグラベルＴ（詳細は後述）を生成するカッタ１５と、上記無線通信による信号送受時において無線タグ回路素子Ｔoをアンテナ１４に対向する所定のアクセスエリアに設定保持するとともに、切断後のテープ１１０（＝無線タグラベルＴ）を案内するための一対の搬送ガイド１３と、その案内された無線タグラベルＴを搬出口（排出口）１６へと搬送し送出する送出ローラ１７と、搬出口１６における無線タグラベルＴの有無を検出するラベルセンサ１８と、上記アンテナ１４を印字済タグラベル用テープ１１０の搬送方向に沿って移動させるよう駆動するアンテナ駆動機構５１と、印字済タグラベル用テープ１１０のカバーフィルム１０３の反対側の面（＝基材テープ１０１の裏面）に印字されているマーキングＭ（詳細は後述）を検出するマーキングセンサ５２とを有する。
【００３８】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記アンテナ駆動機構５１を駆動するアンテナ駆動用モータ５３と、このアンテナ駆動モータ５３を制御するアンテナ駆動回路５４と、上記高周波回路２１、信号処理回路２２、カートリッジ駆動回路２４、印刷駆動回路２５、ソレノイド駆動回路２７、送出ローラ駆動回路２９、アンテナ駆動回路５４等を介し、無線タグ情報通信装置２全体の動作を制御するための制御回路３０とを有する。
【００３９】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報のやりとりが可能となっている。
【００４０】
アンテナ駆動機構５１は、内部で複数の歯車が噛み合って構成する歯車減速器６１と、この歯車減速器６１の出力軸に連結する送りネジ６２と、この送りネジ６２に螺合するスライダ６３とアンテナ位置検出器を備えている。歯車減速器６１は、その入力軸が上記アンテナ駆動用モータ５３に連結して回転駆動されることにより、その回転数を減速して出力軸に連結する送りネジ６２を回転駆動するようになっている。そしてその送りネジ６２は、上記搬送ガイド１３の近傍で印字済タグラベル用テープ１１０の搬送方向と平行に配置されており、スライダ６３は、図示しない別途の支持手段で上記搬送方向と平行方向にスライド可能に支持されており、上記送りネジ６２が回転することでその回転方向（正転方向、逆転方向）に対応する方向で送りネジ６２の長手方向（＝上記した搬送方向と平行方向）に沿ってアンテナ位置検出器によりアンテナ１４の位置を制御されながら移動できるようになっている。
【００４１】
上記アンテナ１４は、その通信領域を印字済タグラベル用テープ１１０の搬送経路に向けてスライダ６３に固定されており、これによりアンテナ１４は、アンテナ駆動回路５４により駆動制御されたアンテナ駆動用モータ５３の回転速度、回転方向に応じた移動速度と移動方向で、印字済タグラベル用テープ１１０の搬送方向に沿った移動が可能となっている。そして本実施形態では、アンテナ１４はテープ搬送方向の上流側から下流側へ向かう方向Ｅを順送り方向として所定の範囲を移動できるようになっており、この順送り方向の移動の際には上記スライダ６３の移動可能範囲のうち所定の時間割合の部分（例えば大部分）においてテープ搬送速度と略同じ速度で移動するよう制御される。
【００４２】
また、特に図示しないが、アンテナ１４は例えば比較的大きな撓みを許容するフレキシブルケーブルで高周波回路２１と電気的に接続されており、このため高周波回路２１との間で通信信号を送受可能に接続を確保しつつ、円滑に移動できるようになっている。なお、アンテナ駆動機構５１は上記送りネジ６２を用いた構成に限定されるものではなく、例えばピ二オンギアとラックの組合せのように直線移動が可能な他のアクチュエータを用いて構成することもできる。
【００４３】
マーキングセンサ５２は、例えば印字済タグラベル用テープ１１０の剥離紙（後述）の表面に印字されたマーキングＭの有無を光学的に検出できる光学センサであり、この例では上記アンテナ１４の順送り移動開始位置（テープ搬送方向における最上流位置であって図示するアンテナ１４の位置）におけるアンテナ１４の中央位置からテープ搬送方向の上流側に向かって所定の距離Ｌだけ離間した位置に配置されている。
【００４４】
また、本実施形態においては、上記アンテナ１４は折り曲げダイポールアンテナで構成されている。図３（ａ）及び図３（ｂ）は、上記アンテナ１４として用いる折り曲げダイポールアンテナの外観を表す図であり、図３（ａ）は上面図、図３（ｂ）は側面図である。
【００４５】
これら図３（ａ）及び図３（ｂ）において、この折り曲げダイポールアンテナ１４は、通常の場合に直線状であるダイポールアンテナを左右対称の略蛇行形状となるよう屈曲変形させて形成した２つのダイポールアンテナエレメント１４Ｄからなっており、それらが例えばセラミックからなる基板６４上に表設されている。このような形状の折り曲げダイポールアンテナ１４によれば、アンテナ線を十分な長さで配置して無線信号の送信強度と受信感度を確保しながら、全体の上記移動方向における長さを比較的短く形成してネジ送り移動させるのに適した構成とすることができる。なお、この折り曲げダイポールアンテナ以外にも、平板状で指向性を備えたパッチアンテナ等をアンテナ１４に用いてもよい。
【００４６】
図４は、カートリッジ１００の詳細構造を説明するための説明図である。
【００４７】
この図４において、カートリッジ１００は、筐体１００Ａと、この筐体１００Ａ内に配置され帯状の上記基材テープ１０１が巻回された第１ロール１０２と、上記基材テープ１０１と略同じ幅である透明な上記カバーフィルム１０３が巻回された第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープ１１０としつつ矢印Ａで示す方向にテープ送りをする圧着ローラ１０７とを有する。
【００４８】
第１ロール１０２は、リール部材１０２ａの周りに、長手方向に複数の無線タグ回路素子Ｔoが所定の等間隔で順次形成された上記基材テープ１０１を巻回している。
【００４９】
基材テープ１０１はこの例では４層構造となっており（図４中部分拡大図参照）、内側に巻かれる側（図４中右側）よりその反対側（図４中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００５０】
ベースフィルム１０１ｂの裏側（図４中左側）には、情報の送受信を行うアンテナ（タグ側アンテナ）１５２が一体的に設けられており、これに接続するように情報を更新可能に（書き換え可能rewritableに）記憶するＩＣ回路部１５１が形成され、これらによって無線タグ回路素子Ｔoが構成されている。
【００５１】
ベースフィルム１０１ｂの表側（図４中右側）には、後にカバーフィルム１０３を接着するための上記粘着層１０１ａが形成され、またベースフィルム１０１ｂの裏側（図４中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００５２】
また、この剥離紙１０１ｄの表面には上記マーキングセンサ５２により検出可能なマーキングＭがあらかじめ印字されており、無線タグ回路素子Ｔoのテープ搬送方向中央位置からテープ搬送方向の上流側に向かって所定の距離Ｌ′だけ離間した位置に印字されている。この距離Ｌ′は、上述した上記アンテナ１４（前述の図２参照）の順送り移動開始位置（図２に示すアンテナ１４の位置）におけるアンテナの移動方向中央位置から上記マーキングセンサ５２までの距離Ｌと同じ距離であり、これによりマーキングセンサ５２が剥離紙１０１ｄ上のマーキングＭを検出した際には、無線タグ回路素子Ｔoの中央位置は順送り移動開始位置にあるアンテナ１４の中央位置と一致するようになっている。
【００５３】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるリボン１０５が、上記印字ヘッド１０に押圧されることで当該カバーフィルム１０３の裏面に当接させられるようになっている。
【００５４】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００５５】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００５６】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図７参照）が印刷される。そして、上記基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００５７】
図５は、上記高周波回路２１の詳細機能を表す機能ブロック図である。この図５において、高周波回路２１は、送受分離器３４と、この送受分離器３４を経てアンテナ１４を介し無線タグ回路素子Ｔoに対して信号を送信する送信部３２と、送受分離器３４を経てアンテナ１４により受信された無線タグ回路素子Ｔoからの反射波を入力する受信部３３とから構成される。
【００５８】
送信部３２は、制御回路３０からの制御信号に応じ、無線タグ回路素子ＴoのＩＣ回路部１５１の無線タグ情報にアクセスする(この例では読み取り、後述の変形例では書き込みも含む)ための搬送波を発生させる水晶振動子３５、ＰＬＬ（Phase
Locked Loop）３６、及びＶＣＯ（Voltage Controlled Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適にはＵＨＦ又はマイクロ波帯の周波数を用いており、上記送信アンプ３９の出力は、送受分離器３４を介してアンテナ１４に伝達されて無線タグ回路素子ＴoのＩＣ回路部１５１に供給される。なお、無線タグ情報は上記のように変調した信号に限られず、単なる搬送波のみの場合もある。
【００５９】
受信部３３は、アンテナ１４により受信された無線タグ回路素子Ｔoからの反射波と上記発生させられた搬送波と乗算して復調する受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔoからの反射波と上記発生された後に移相器４９により位相が９０°遅れた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００６０】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態の無線タグ情報通信装置２では、Ｉ−Ｑ直交復調によって無線タグ回路素子Ｔoからの反射波の復調が行われる。
【００６１】
図６は、上記無線タグ回路素子Ｔoの機能的構成を表す機能ブロック図である。この図６において、無線タグ回路素子Ｔoは、無線タグ情報通信装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００６２】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００６３】
変復調部１５８は、アンテナ１５２により受信された上記無線タグ情報通信装置２のアンテナ１４からの通信信号の復調を行うと共に、上記制御部１５５からの応答信号に基づき、アンテナ１５２が受信した搬送波を変調し、アンテナ１５２より反射波として再送信する。
【００６４】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００６５】
クロック抽出部１５６は受信した信号からクロック成分を抽出して制御部１５５にクロックを抽出するものであり、受信した信号のクロック成分の速度に対応したクロックを制御部１５５に供給する。
【００６６】
図７（ａ）及び図７（ｂ）は、上述のようにして無線タグ回路素子Ｔoの情報読み取り（又は情報書き込み）及び印字済タグラベル用テープ１１０の切断が完了し形成された無線タグラベルＴの外観の一例を表す図であり、図７（ａ）は上面図、図７（ｂ）は下面図である。また図８は、図７中VIII−VIII′断面による横断面図である。
【００６７】
これら図７（ａ）、図７（ｂ）、及び図８において、無線タグラベルＴは、図４に示した４層構造にカバーフィルム１０３が加わった５層構造となっており、カバーフィルム１０３側（図８中上側）よりその反対側（図８中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。また、前述のように、剥離紙１０１ｄの表面には無線タグ回路素子Ｔoのテープ搬送方向中央位置から上流側（図７（ｂ）の右側）に向かって距離Ｌ′だけ離間した位置にマーキングＭが印刷されている。
【００６８】
図９は、上述したような無線タグ情報通信装置２による無線タグ回路素子ＴoのＩＣ回路部１５１の無線タグ情報へのアクセス(読み取り又は書き込み)に際して、上記した端末５又は汎用コンピュータ６に表示される画面の一例を表す図である。
【００６９】
図９において、この例では、あらかじめ入力されているタグラベル種別、無線タグ回路素子Ｔoに対応して印刷された印字文字Ｒ、その無線タグ回路素子Ｔoに固有のＩＤであるアクセス（読み取り又は書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、タグ作成時に、その端末５又は汎用コンピュータ６の操作により無線タグ情報通信装置２が作動されると、カバーフィルム１０３に上記印字文字Ｒが印刷されると共に、無線タグ回路素子ＴoのＩＣ回路部１５１に予め記憶された上記読み取りＩＤ又は物品情報等の無線タグ情報が読みとられる（又はＩＣ回路部１５１に上記書き込みＩＤ及び物品情報等の情報が書き込まれる）。
【００７０】
なお、上記のような読み取り（又は書き込み）の際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００７１】
以上において、本実施形態の最も大きな特徴は、アンテナ駆動機構５１、アンテナ駆動用モータ５３及びアンテナ駆動回路５４を用いて、アンテナ１４そのものをテープ搬送方向に沿って移動させることにより、上記アンテナ１４による通信領域をテープ搬送方向に沿ってテープ搬送速度に応じて移動制御することにある。
【００７２】
以下、本実施形態の上記特徴に関連して制御回路３０により実行される制御手順について説明する。
【００７３】
図１０は、上述した無線タグラベルＴの作成、すなわち、カバーフィルム１０３を搬送し印字ヘッド１０による所定の印字とアンテナ１４による無線タグ情報の読み取りとを行いつつ（無線タグ情報の書き込みを行う場合については後述の変形例を参照）基材テープ１０１を貼り合わせて印字済タグラベル用テープ１１０とした後印字済タグラベル用テープ１１０を無線タグ回路素子Ｔoごとに切断し無線タグラベルＴとする際に、制御回路３０によって実行される制御手順を表すフローチャートである。
【００７４】
この図１０において、無線タグ情報通信装置２の読み取り操作が行われるとこのフローが開始され、まずステップＳ１０５において、上記端末５又は汎用コンピュータ６を介して入力操作された、印字ヘッド１０により無線タグラベルＴへ印字すべき印字情報が通信回線３及び入出力インターフェイス３１を介し読み込まれる。
【００７５】
その後、ステップＳ１１０において、無線タグ回路素子Ｔｏからの応答がないとき等にリトライを行う回数（アクセス試行回数）をカウントする変数Ｎ、及び通信良好か不良かを表すフラグＦを０に初期化する。
【００７６】
次に、ステップＳ１１２において、アンテナ駆動回路５４に制御信号を出力し、アンテナ１４を順送り移動開始位置（図２に示す最上流側位置）まで逆戻し移動させる。
【００７７】
そして、ステップＳ１１５において、カートリッジ駆動回路２４に制御信号を出力し、カートリッジ用モータ２３の駆動力によってリボン巻取りローラ１０６及び圧着ローラ１０７を所定の回転速度で回転駆動させる。これにより、第１ロール１０２から基材テープ１０１が繰り出され圧着ローラ１０７へ供給され、第２ロール１０４からはカバーフィルム１０３が繰り出される。またこのとき、印刷駆動回路２５に制御信号を出力し、印字ヘッド１０を通電して、カバーフィルム１０３のうち所定の領域（例えば基材テープ１０１に所定ピッチで等間隔で配置された無線タグ回路素子Ｔoの裏面に貼り合わせることとなる領域）に、ステップＳ１０５で読み込んだ文字、記号、バーコード等の印字Ｒを印刷させる。さらに送出ローラ駆動回路２９を介して送出ローラ用モータ２８に制御信号を出力し、送出ローラ１７を所定の回転速度で回転駆動させる。以上の結果、前述したように基材テープ１０１と上記印刷が終了したカバーフィルム１０３とが上記圧着ローラ１０７及びサブローラ１０９により接着されて一体化され、印字済タグラベル用テープ１１０として形成され、カートリッジ体１００外方向へと所定の搬送速度で搬送される。
【００７８】
その後、ステップＳ１２０において、印字済タグラベル用テープ１１０がタグ情報の読み取り開始位置まで搬送されたかどうかを判定する。このときの搬送位置判定は、上記基材テープ１０１の剥離紙１０１ｄに印字されたマーキングＭをマーキングセンサ５２で検出することにより行う。そしてマーキングＭが検出された際には、前述したように、アンテナ１４の中央位置と無線タグ回路素子Ｔoの中央位置とが一致して（＝上記読み取り開始位置）読み取り開始状態となる。このような状態になったら判定が満たされ、ステップＳ１２２に移る。
【００７９】
ステップＳ１２２では、アンテナ駆動回路５４に制御信号を出力し、アンテナ１４の順送り移動を開始する。この際、前述したように、アンテナ１４の順送り移動はテープ搬送方向と同じ方向に沿って上記したテープ搬送速度と略同じ速度で行われる。そして、アンテナ１４の移動範囲（アンテナ駆動機構５１におけるスライダ６３の移動範囲）の最下流位置まで移動した際にはアンテナ位置検出器によりアンテナ駆動用モータ５３は自動的に停止する。これにより、搬送中の無線タグ回路素子Ｔoがアンテナ１４の移動範囲内にある間のうち所定の時間割合の部分（例えば大部分）において無線タグ回路素子Ｔoの中央位置にアンテナ１４の中央位置が略一致するようアンテナ１４が移動制御され、すなわちアンテナ１４の通信領域が無線タグ回路素子Ｔoの移動に追従することになる。このようにしてアンテナ１４の順送り移動を開始した後、次のステップＳ２００に移る。
【００８０】
ステップＳ２００では、上記アンテナ１４の移動中においてタグ情報読み取り処理を行い、問いかけ信号を無線タグ回路素子Ｔoに送信し、無線タグ情報を含む返答信号を受信して読み込む（詳細は後述の図１１参照）。このステップＳ２００が終了したらステップＳ１２５に移る。
【００８１】
ステップＳ１２５では、フラグＦ＝０であるかどうかが判定される。読み取り処理が正常に完了していればＦ＝０のまま（後述の図１１に示すフローのステップＳ２８０参照）であるので、この判定が満たされ、ステップＳ１３０に移る。
【００８２】
ステップＳ１３０では、上記ステップＳ２００で無線タグ回路素子Ｔoより読み取られた情報と、これに対応して既に印字ヘッド１０により印字された印字情報との組み合わせを、入出力インターフェイス３１及び通信回線３を介し端末５又は汎用コンピュータ６を介して出力され、情報サーバ７やルートサーバ４に記憶される。なお、この記憶データは必要に応じて端末５又は汎用コンピュータ６より参照可能に例えばデータベース内に格納保持される。
【００８３】
その後、ステップＳ１３５で、カバーフィルム１０３のうちこの時点で処理対象としている無線タグ回路素子Ｔoに対応する領域への印字がすべて完了させた後、ステップＳ１４０へ移る。
【００８４】
なお、先に述べたステップＳ１２５において、何らかの理由で読み取り処理が正常に完了していない場合はＦ＝１とされている（後述の図１１に示すフローのステップＳ２８０参照）のでＳ１２５の判定が満たされず、ステップＳ１３７に移り、印刷駆動回路２５に制御信号を出力して印字ヘッド１０の通電を中止し印字を停止させる。このように印字中途停止によって当該無線タグ回路素子Ｔoが正常品でないことを明らかに表示するようにした後、ステップＳ１４０へ移る。
【００８５】
ステップＳ１４０では、印字済タグラベル用テープ１１０がさらに所定量（例えば、対象とする無線タグ回路素子Ｔo及びこれに対応するカバーフィルム１０３の印字領域のすべてがカッタ１５を所定の長さ(余白量)分越えるだけの搬送距離）だけ搬送されたかどうかを判断する。このときの搬送距離判定は、例えば、上記基材テープ１０１の剥離紙１０１ｄに別途設けた適宜の識別用マーク（マーキングＭを用いても良いし、別のマークを用いても良い）を、別途設けた公知のマーキングセンサ（又はマーキングセンサ５２を用いても良い）で検出することにより行えば足りる。判定が満たされたら、ステップＳ１４５に移る。
【００８６】
ステップＳ１４５では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止する。
【００８７】
その後、ステップＳ１５０でソレノイド駆動回路２７に制御信号を出力してソレノイド２６を駆動し、カッタ１５によって印字済タグラベル用テープ１１０の切断を行う。前述したように、この時点で、例えば処理対象の無線タグ回路素子Ｔo及びこれに対応するカバーフィルム１０３の印字領域のすべてがカッタ１５を十分に越えており、このカッタ１５の切断によって、無線タグ回路素子Ｔoの無線タグ情報が読み取られかつこれに対応する所定の印字が行われたラベル状の無線タグラベルＴが生成される。
【００８８】
その後、ステップＳ１５５に移り、送出ローラ用駆動回路２９に制御信号を出力し、送出ローラ用モータ２８の駆動を再開して、ラベルセンサ１８で無線タグラベルＴを検出しなくなるまで送出ローラ１７を回転させる。これにより、送出ローラ１７による搬送が再開されて上記ステップＳ１５０でラベル状に生成された無線タグラベルＴが搬出口１６へ向かって搬送され、さらに搬出口１６から装置２外へと排出される。
【００８９】
図１１は、上述したステップＳ２００の詳細手順を表すフローチャートである。
【００９０】
図１１において、この処理を開始した際には、上記ステップＳ１２０、ステップＳ１２２（前述の図１０参照）によりアンテナ１４は印字済みタグラベル用テープ１１０の無線タグ回路素子Ｔoと互いに中央位置が略一致しており、以下に説明するこの処理の実行中においても、アンテナ１４はその通信領域を無線タグ回路素子Ｔoの移動に追従するよう移動し続けている。
【００９１】
そして、まずステップＳ２２０において、無線タグ回路素子Ｔoに記憶された情報を読み出す「Scroll
All ID」コマンドを信号処理回路２２に出力する。これに基づき信号処理回路２２で「Scroll All ID」信号が生成されて高周波回路２１を介してアクセス対象の無線タグ回路素子Ｔoに送信され、返信を促す。
【００９２】
次に、ステップＳ２３０において、上記「Scroll All ID」信号に対応してアクセス対象の無線タグ回路素子Ｔoから送信されたリプライ信号（物品情報やタグ識別情報ＩＤ等の無線タグ情報）をアンテナ１４を介して受信し、高周波回路２１及び信号処理回路２２を介し取り込む。
【００９３】
次に、ステップＳ２４０において、上記ステップＳ２３０で受信したリプライ信号に誤りがないか否かを公知の誤り検出符号（ＣＲＣ符号；Cyclic Redundancy Check等）を用いて判定する。
【００９４】
判定が満たされない場合はステップＳ２５０に移ってＮに１を加え、さらにステップＳ２６０においてＮが予め定められた所定のリトライ回数（この例では５回。それ以外の回数に適宜設定してもよい）となったかどうかが判定される。Ｎ≦４の場合は判定が満たされずステップＳ２２０に戻り同様の手順を繰り返す。Ｎ＝５の場合はステップＳ２７０に移り、エラー表示信号を入出力インターフェイス３１に及び通信回線３を介し上記端末５又は汎用コンピュータ６に出力して読み取り失敗（エラー）表示を行わせ、ステップＳ２８０で前述のフラグＦ＝１にし、このフローを終了する。このようにして読み取りが不調でも所定回数（この例では５回）までは再試行が行われる。
【００９５】
ステップＳ２４０の判定が満たされた場合、読み取り対象とする無線タグ回路素子Ｔoからの無線タグ情報の読み取りが完了し、このフローを終了する。
【００９６】
以上のルーチンにより、カートリッジ１００内のアクセス対象の無線タグ回路素子Ｔoに対し、ＩＣ回路部１５１の無線タグ情報にアクセスしこれを読み出すことができる。なお、上記の「Scroll
All ID」信号の送信とリプライ信号の受信は短時間に行われるものであり、上記所定回数の再試行を全部含めても上記ルーチン全体の処理時間は短時間で完了する。したがって、実際的なテープ搬送速度においては、アンテナ１４は短い移動距離で上記タグ情報読み取り処理の実行中における無線タグ回路素子Ｔoの追従を完遂することができる。またこのため、アンテナ１４の通信領域の移動は移動可能範囲を全て移動させる必要はなく、少なくとも上記タグ情報読み取り処理が完了するまでの所定の時間だけ移動させればよい。
【００９７】
以上において、圧着ローラ１０７とサブローラ１０９とが、各請求項記載の、ＩＣ回路部を備えた無線タグ回路素子を設けたタグ媒体を搬送する搬送手段を構成する。またアンテナ駆動機構５１とアンテナ駆動用モータ５３とアンテナ駆動回路５４とが、各請求項記載の搬送手段の搬送方向に沿ってアンテナによる通信領域を搬送手段のテープ搬送速度に応じて移動制御する通信領域移動手段を構成するとともに、アンテナをテープ搬送方向に沿って移動させる駆動手段をも構成する。
【００９８】
以上説明したように、本実施形態の無線タグ情報通信装置２においては、無線タグ回路素子Ｔoを備えた印字済みタグラベル用テープ１１０が搬送されるとき、アンテナ駆動機構５１でアンテナ１４をテープ搬送方向に沿って移動させることにより、通信領域をテープ搬送方向に沿って当該無線タグ回路素子Ｔoの移動に追従させることが可能となる。この結果、通信時間を長く確保することができるので、無線タグ回路素子Ｔoへのアクセス（上記の例では情報読み取り。後述の変形例では情報書き込み）成功率を向上することができる。また、同一成功率で足りる場合には、上記圧着ローラ１０７、サブローラ１０９等によるテープ搬送速度を高速化することができ、この場合は通信処理効率を向上することができる。
【００９９】
また、この実施形態では特に、上記アンテナ駆動機構５１は、少なくとも所定の時間、アンテナ１４の通信領域をテープ搬送速度と略同じ速度で移動させることにより、少なくとも当該所定の時間、通信領域を当該無線タグ回路素子Ｔoの移動に確実に追従させることができるので、さらに確実に通信時間を長くすることができる。
【０１００】
なお、本発明は、前述したように通信可能な時間を長く確保できるようアンテナ１４の周囲に位置する通信領域を無線タグ回路素子Ｔoの移動に合わせて追従させているので、無線通信を行う時間内において無線タグ回路素子Ｔoをアンテナ１４の通信領域内に収まるよう維持できるのであれば、アンテナ１４の中央位置と無線タグ回路素子Ｔoの中央位置とが完全に一致せずにわずかにずれていてもよく、またアンテナ１４の移動速度と無線タグ回路素子Ｔoの搬送速度が完全に同じでなくともよい。
【０１０１】
なお、上記第１実施形態は、本発明の趣旨及び技術思想を逸脱しない範囲でさらに種々の変形が可能である。以下、そのような変形例を説明する。
【０１０２】
（１−１）無線タグ回路素子Ｔoに情報書き込みを行う場合
上記第１実施形態においては、読み取りのみ可能な(書き込みは不可の)無線タグの生成システムに適用した場合を例にとって説明したが、これに限られず、無線タグ回路素子ＴoのＩＣ回路部１５１に無線タグ情報の書き込みを行う無線タグの生成システムに適用してもよい。
【０１０３】
図１２は、この変形例における制御回路３０によって実行される制御手順（この場合は無線タグ情報の書き込み処理手順）を表すフローチャートであり、前述の図１０に相当する図である。図１０と同等の手順には同一の符号を付している。
【０１０４】
図１２において、ステップＳ１０５は図１０と同様であり（但し無線タグ情報としてタグＩＤのみならず物品情報等も書き込む場合には、上記端末５又は汎用コンピュータ６を介して入力操作された当該物品情報等も通信回線３及び入出力インターフェイス３１を介し読み込まれる）、この手順が終了した後はステップＳ１１０Ａに移り、前述の変数Ｎ及びフラグＦに加え、さらに変数Ｍ（詳細は後述）を０に初期化する。
【０１０５】
その後、図１０と同様のステップＳ１１２，Ｓ１１５，Ｓ１２０，Ｓ１２２を経て、ステップＳ２００Ａに移る。ステップＳ２００Ａでは、タグ情報書き込み処理を行い、書き込むためのメモリ初期化（消去）を行った後、無線タグ情報を無線タグ回路素子Ｔoに送信して書き込む（詳細は後述の図１３参照）。このステップＳ２００Ａが終了したら図１０と同様、ステップＳ１２５に移る。
【０１０６】
ステップＳ１２５では、図１０と同様にフラグＦ＝０であるかどうかが判定され、この判定が満たされたら、ステップＳ１３０Ａに移る。
【０１０７】
ステップＳ１３０Ａでは、上記ステップＳ２００Ａで無線タグ回路素子Ｔoに書き込まれた情報と、これに対応して既に印字ヘッド１０により印字された印字情報との組み合わせが、入出力インターフェイス３１及び通信回線３を介し端末５又は汎用コンピュータ６を介して出力され、図１０のステップＳ１３０と同様に例えばルートサーバ４に記憶される。なお、この記憶データは必要に応じて端末５又は汎用コンピュータ６より参照可能に格納保持される。
【０１０８】
以降の手順は図１０と内容は実質同様であるので、説明を省略する。
【０１０９】
図１３は、上述のステップＳ２００Ａの詳細手順を表すフローチャートである。
【０１１０】
この図１３において、まず、ステップＳ３１０において、公知の適宜の手法で、無線タグ回路素子Ｔoに書き込む無線タグ情報を構成する識別情報（タグＩＤ）を設定する。
【０１１１】
その後、ステップＳ３２０において、無線タグ回路素子Ｔoのメモリ部１５７に記憶された情報を初期化する「Erase」コマンドを信号処理回路２２に出力する。これに基づき信号処理回路２２で「Erase」信号が生成されて高周波回路２１を介して書き込み対象の無線タグ回路素子Ｔoに送信され、そのメモリ部１５７を初期化する。
【０１１２】
次に、ステップＳ３３０において、メモリ部１５７の内容を読み出して確認する「Verify」コマンドを信号処理回路２２に出力する。これに基づき信号処理回路２２で「Verify」信号が生成されて高周波回路２１を介して情報書き込み対象の無線タグ回路素子Ｔoに送信され、返信を促す。その後ステップＳ３４０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【０１１３】
次に、ステップＳ３５０において、リプライ信号に基づき、当該無線タグ回路素子Ｔoのメモリ部１５７内の情報を確認し、メモリ部１５７が正常に初期化されたか否かを判定する。
【０１１４】
判定が満たされない場合はステップＳ３６０に移ってＭに１を加え、さらにステップＳ３７０においてＭが予め定められた所定のリトライ回数（この例では５回。それ以外の回数に適宜設定してもよい）となったかどうかが判定される。Ｍ≦４の場合は判定が満たされずステップＳ３２０に戻り同様の手順を繰り返す。Ｍ＝５の場合はステップＳ３８０に移り、エラー表示信号を入出力インターフェイス３１及び通信回線３を介し上記端末５又は汎用コンピュータ６へ出力し、対応する書き込み失敗（エラー）表示を行わせる。このようにして初期化が不調でも５回までは再試行が行われる。ステップＳ３８０が終了すると、ステップＳ３８５に移る。ステップＳ３８５では、前述のフラグＦ＝１にし、ステップＳ４６０に移る。
【０１１５】
一方、ステップＳ３５０の判定が満たされた場合、ステップＳ３９０に移り、所望のデータをメモリ部１５７に書き込む「Program」コマンドを信号処理回路２２に出力する。これに基づき信号処理回路２２で少なくとも前述のタグＩＤを含む無線タグ情報としての「Program」信号が生成されて高周波回路２１を介して情報書き込み対象の無線タグ回路素子Ｔoに送信され、そのメモリ部１５７に情報が書き込まれる。
【０１１６】
その後、ステップＳ４００において、「Verify」コマンドを信号処理回路２２に出力する。これに基づき信号処理回路２２で「Verify」信号が生成されて高周波回路２１を介して情報書き込み対象の無線タグ回路素子Ｔoに送信され、返信を促す。その後ステップＳ４１０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【０１１７】
次に、ステップＳ４２０において、リプライ信号に基づき、当該無線タグ回路素子Ｔoのメモリ部１５７内に記憶された情報を確認し、前述の送信した所定の無線タグ情報がメモリ部１５７に正常に記憶されたか否かを判定する。
【０１１８】
判定が満たされない場合はステップＳ４３０に移ってＮに１を加え、さらにステップＳ４４０においてＮが予め定められた所定のリトライ回数（この例では５回。それ以外の回数に適宜設定してもよい）となったかどうかが判定される。Ｎ≦４の場合は判定が満たされずステップＳ３９０に戻り同様の手順を繰り返す。Ｎ＝５の場合は前述したステップＳ３８０に移り、同様に上記端末５又は汎用コンピュータ６に対応する書き込み失敗（エラー）表示を行わせ、ステップＳ３８５で前述のフラグＦ＝１にし、このフローを終了する。このようにして情報書き込みが不調でも５回までは再試行が行われる。
【０１１９】
一方、ステップＳ４２０の判定が満たされた場合、ステップＳ４５０に移り、以降のＩＤ書込みを禁止する「Lock」コマンドを信号処理回路２２に出力する。これに基づき信号処理回路２２で「Lock」信号が生成されて高周波回路２１を介して情報書き込み対象の無線タグ回路素子Ｔoに送信され、当該無線タグ回路素子Ｔoへの新たな情報の書き込みが禁止される。これにより、書き込み対象とする無線タグ回路素子Ｔoへの無線タグ情報の書き込みが完了し、前述のようにして無線タグ回路素子Ｔoが排出される。ステップＳ４５０が終了したら、このフローを終了する。
【０１２０】
以上のルーチンにより、カートリッジ１００内のアクセス対象の無線タグ回路素子Ｔoに対し、ＩＣ回路部１５１に所望の無線タグ情報を書き込むことができる。
【０１２１】
以上のようにして、本変形例においては、無線タグ情報の書き込みを行う無線タグ生成システムにおいて、上記第１実施形態とほぼ同様の効果を得る。
【０１２２】
本発明の第２の実施形態を図１４〜図１７により説明する。本実施形態は、アンテナとして複数の（この例では３つの）第１〜第３アンテナ１４Ａ，１４Ｂ，１４Ｃを備え、これら複数の第１〜第３アンテナ１４Ａ〜１４Ｃそれぞれにおける送受信動作を無線タグ回路素子Ｔoの搬送状態に応じて制御することにより、アンテナによる通信領域の移動を行うものである。上記第１の実施形態と同等の部分には同一の符号を付し、適宜説明を省略する。
【０１２３】
図１４は、本実施形態の無線タグ情報通信装置２の詳細構造を表す概念的構成図であり、上記第１の実施形態の図２に相当する図である。図１４において、高周波回路２１Ａには上記したように３つの第１〜第３アンテナ１４Ａ〜１４Ｃ（送受信手段）が接続されており、これら第１〜第３アンテナ１４Ａ〜１４Ｃにより、印字済タグラベル用テープ１１０に備えられる無線タグ回路素子Ｔoとの間で、ＵＨＦ帯等の高周波又はマイクロ波等を用いて無線通信により信号の送受を行う。
【０１２４】
第１アンテナ１４Ａ、第２アンテナ１４Ｂ、第３アンテナ１４Ｃは、周知の折り曲げダイポールアンテナで構成されており、この順でテープ搬送方向の上流側から下流側に沿って略等間隔に配置されており、この例ではそれぞれ通信領域をテープ搬送経路に向ける姿勢で固定されている。また、各第１〜第３アンテナ１４Ａ〜１４Ｃは、隣接する２つのアンテナそれぞれの通信可能領域が互いに重なるような間隔で配置されている。
【０１２５】
マーキングセンサ５２はテープ搬送方向の最も上流側に位置する第１アンテナ１４Ａからさらに所定距離Ｌだけテープ搬送方向の上流側に位置しており、これによりマーキングセンサ５２が剥離紙１０１ｄ上のマーキングＭを検出した際には、無線タグ回路素子Ｔoの中央位置は最上流側の第１アンテナ１４Ａの位置と一致するようになっている。
【０１２６】
図１４におけるその他の構成は第１実施形態の図２と同様である。
【０１２７】
図１５は、本実施形態における高周波回路２１Ａの詳細機能を表す機能ブロック図であり、上記第１の実施形態の図５に相当する図である。この図１５において、高周波回路２１Ａは、制御回路３０により切り替えられるアンテナスイッチ回路３４１を備えている。送信部３２及び受信部３３は、それぞれ送受分離器３４とアンテナスイッチ回路３４１を経て第１〜第３アンテナ１４Ａ，１４Ｂ，１４Ｃを介し無線タグ回路素子Ｔoに対して信号を送受信する。
【０１２８】
アンテナスイッチ回路３４１は、例えば周知の高周波用ＦＥＴやダイオードを用いたスイッチ回路であり、制御回路３０からの切替信号により第１〜第３アンテナ１４Ａ，１４Ｂ，１４Ｃのいずれかを送受分離器３４に接続するものである。
【０１２９】
図１５におけるその他の構成は第１実施形態の図５と同様である。
【０１３０】
図１６は、本実施形態の無線タグ情報通信装置２に備えられる制御回路３０によって実行される制御手順を表すフローチャートであり、上記第１の実施形態の図１０に対応する図である。図１０と同等の手順には同一の符号を付している。
【０１３１】
図１６において、無線タグ情報通信装置２の読み取り操作が行われるとこのフローが開始され、まずステップＳ１０５において、印字ヘッド１０により無線タグラベルＴへ印字すべき印字情報が読み込まれる。
【０１３２】
その後、ステップＳ１１０Ｂにおいて、無線タグ回路素子Ｔｏからの応答がないとき等にリトライを行う回数（アクセス試行回数）をカウントする変数Ｎ、及び通信良好か不良かを表すフラグＦを０に初期化するとともに、無線通信を行わせるアンテナを指定するための変数Ｃを１（後述するように第１アンテナ１４Ａに対応）に設定する。
【０１３３】
そして、ステップＳ１１５において、リボン巻取りローラ１０６及び圧着ローラ１０７を回転駆動させ、基材テープ１０１及びカバーフィルム１０３が繰り出される。またこのとき、印字ヘッド１０を通電して、カバーフィルム１０３に、印字Ｒを印刷させる。さらに送出ローラ１７を回転駆動させて基材テープ１０１と上記印刷が終了したカバーフィルム１０３とが上記圧着ローラ１０７及びサブローラ１０９により接着されて一体化され、印字済タグラベル用テープ１１０として形成され、カートリッジ体１００外方向へと搬送される。
【０１３４】
その後、ステップＳ１２０において、印字済タグラベル用テープ１１０がタグ情報の読み取り開始位置まで搬送されたかどうかを判断する。このときの搬送位置判定は、図１０の場合と同様に上記基材テープ１０１のマーキングＭをマーキングセンサ５２で検出することにより行う。そしてマーキングＭが検出された際には、前述したように、最上流側の第１アンテナ１４Ａと無線タグ回路素子Ｔoの中央位置とが一致して読み取り開始状態となる。このような状態になったものとの判定が満たされたら、ステップＳ５００に移る。
【０１３５】
ステップＳ５００では、複数ある第１〜第３アンテナ１４Ａ，１４Ｂ，１４Ｃのうち無線タグ回路素子Ｔoと無線通信を行わせるためのアンテナを順次切り替えながら無線タグ情報の読み取りを行う（＝アンテナ切替・タグ情報読み取り処理、詳細は後述の図１７参照）。
【０１３６】
その後のステップＳ１２５以降の手順は図１０と内容は実質同様であるので、説明を省略する。
【０１３７】
図１７は、上述したステップＳ５００のアンテナ切り替え・タグ情報読み取り処理の詳細手順を表すフローチャートである。
【０１３８】
図１７において、まず、ステップＳ５０５で指定変数Ｃが１であるか否か、つまり最上流側の第１アンテナ１４Ａが無線タグ回路素子Ｔoと無線通信させるものとして指定されているか否かを判定する。前述したように図１６のステップＳ１１０ＢでＣ＝１に設定されているので最初はこの判定が満たされ、ステップＳ５１０に進んで第１アンテナ１４Ａを送受分離器３４に接続させるようアンテナスイッチ回路３４１に切替信号を出力する（図１５参照）。その後、上記ステップＳ２００に移り、前述と同様、問いかけ信号を無線タグ回路素子Ｔoに送信し、無線タグ情報を含む返答信号を受信して読み込むタグ情報読み取り処理を行った（前述の図１１参照）後、ステップＳ５３１に移る。
【０１３９】
ステップＳ５３１では、前述のフラグＦ＝０であるかどうかを判定する。上記ステップＳ２００においてリプライ信号により無線タグ情報の読み取りが正常に完了していればＦ＝０のままであることから（図１１参照）この判定が満たされ、このルーチンを終了する。ステップＳ２００で無線タグ情報の読み取りが正常に完了していなければＦ＝１となっている（図１１のステップＳ２８０参照）ことからこの判定が満たされず、ステップＳ５３２に移る。
【０１４０】
ステップＳ５３２では、制御回路３０に内蔵されているタイマにより、所定の切り替え時間（＝好適には搬送中の無線タグ回路素子Ｔoが次の下流側のアンテナの通信領域に入るまで移動するのに要する時間）が経過したことを確認するのを待って、ステップＳ５３５に移り、上記指定変数Ｃに１を加えてステップＳ５０５に戻る。
【０１４１】
このときのステップＳ５０５では、上記ステップＳ５３５において指定変数Ｃに１を加えＣ＝２となっていることから判定が満たされず、ステップＳ５１５に移る。ステップＳ５１５では、指定変数Ｃが２であるか否か、つまり第２アンテナ１４Ｂが無線タグ回路素子Ｔoと無線通信させるものとして指定されているか否かを判定する。前述したようにこの時点ではＣ＝２に設定されているので判定が満たされ、ステップＳ５２０に移る。
【０１４２】
ステップＳ５２０では、第２アンテナ１４Ｂを送受分離器３４に接続させるようアンテナスイッチ回路３４１に切替信号を出力する（図１５参照）。そして、上記ステップＳ２００に移り、前述と同様にタグ情報読み取り処理を行った後、前述したステップＳ５３１に移る。
【０１４３】
ステップＳ５３１では、前述と同様、上記ステップＳ２００で無線タグ情報の読み取りが正常に完了していれば判定が満たされてこのルーチンを終了し、読み取りが正常に完了していなければステップＳ５３２に移り、所定の切り替え時間が経過した後にステップＳ５３５で上記指定変数Ｃにさらに１を加え（Ｃ＝３となる）、ステップＳ５０５に戻る。
【０１４４】
このときのステップＳ５０５では、上記ステップＳ５３５において指定変数Ｃに１を加えＣ＝３となっていることから判定が満たされず、さらにステップＳ５１５でも同様に判定が満たされず、ステップＳ５２５に移る。ステップＳ５２５では、指定変数Ｃが３であるか否か、つまり第３アンテナ１４Ｃが無線タグ回路素子Ｔoと無線通信させるものとして指定されているか否かを判定する。前述したようにこの時点ではＣ＝３に設定されているので判定が満たされ、ステップＳ５３０に移る。
【０１４５】
ステップＳ５３０では、第３アンテナ１４Ｃを送受分離器３４に接続させるようアンテナスイッチ回路３４１に切替信号を出力する（図１５参照）。そして、上記ステップＳ２００に移り、前述と同様にタグ情報読み取り処理を行った後、前述したステップＳ５３１に移る。
【０１４６】
ステップＳ５３１では、前述と同様、上記ステップＳ２００で無線タグ情報の読み取りが正常に完了していれば判定が満たされてこのルーチンを終了し、読み取りが正常に完了していなければステップＳ５３２に移り、所定の切り替え時間が経過した後にステップＳ５３５で上記指定変数Ｃにさらに１を加え（Ｃ＝４となる）、ステップＳ５０５に戻る。
【０１４７】
このときのステップＳ５０５では、上記ステップＳ５３５において指定変数Ｃに１を加えＣ＝４となっていることから判定が満たされず、さらにステップＳ５１５及びステップＳ５２５でも同様に判定が満たされず、ステップＳ５３７で通信不良を表す上記フラグＦ＝１として、このルーチンを終了する。
【０１４８】
以上のようにして、無線タグ回路素子Ｔoの搬送に追従するように無線通信に用いる第１〜第３アンテナ１４Ａ，１４Ｂ，１４Ｃが順次切り替えられ、それぞれの通信領域内に無線タグ回路素子Ｔoが収容されつつ、無線タグ回路素子Ｔoへの通信（試行）が行われる。
【０１４９】
以上において、制御回路３０及びアンテナスイッチ回路３４１が、請求項５記載の複数の第１〜第３アンテナ１４Ａ，１４Ｂ，１４Ｃそれぞれにおける送受信動作を上記搬送手段の搬送状態に応じて制御するアンテナ制御手段を構成するとともに、搬送手段の搬送方向に沿って前記送受信手段による通信領域を当該搬送手段の搬送速度に応じて移動制御する通信領域移動手段をも構成する。
【０１５０】
以上のように、本実施形態においては、それぞれ所定の通信領域をもつ複数の第１〜第３アンテナ１４Ａ，１４Ｂ，１４Ｃを印字済みタグラベル用テープ１１０の搬送方向に沿って配置し、無線タグ回路素子Ｔoを備えた印字済みタグラベル用テープ１１０が搬送されるとき、前述のようにして各第１〜第３アンテナ１４Ａ，１４Ｂ，１４Ｃの送受信動作を切り替え制御することで、アンテナ１４Ａ〜Ｃによる通信領域を無線タグ回路素子Ｔoの搬送方向に沿って移動させ、追従させることができる。これにより本実施形態においても、上記第１実施形態と同様、通信時間を長く確保することができるので、無線タグ回路素子Ｔoへのアクセス成功率を向上できるという効果を得る。
【０１５１】
また、この実施形態では図１８に示すように、複数の第１〜第３アンテナ１４Ａ，１４Ｂ，１４Ｃは、隣接する２つのアンテナそれぞれの通信可能領域が互いに重なるような間隔で配置されていることにより、搬送される無線タグ回路素子Ｔoが、搬送途中でいずれのアンテナからも通信できなくなる状態が生じるのを確実に防止でき、搬送途中の位置によらず、連続して通信することができる。
【０１５２】
なお、上記第２実施形態においても、上記第１実施形態と同様に読み取りのみ可能な(書き込みは不可の)無線タグの生成システムへの適用に限られず、無線タグ回路素子ＴoのＩＣ回路部１５１に無線タグ情報の書き込みを行う無線タグの生成システムに適用してもよい。この場合も同様の効果を得る。
【０１５３】
なお、上記第２実施形態においても、本発明の趣旨及び技術思想を逸脱しない範囲でさらに種々の変形が可能である。以下、そのような変形例を説明する。
【０１５４】
（２−１）最も強い受信信号強度が得られるアンテナを指定する場合
上記第２実施形態においては、搬送中の無線タグ回路素子Ｔoに対して無線通信を行わせるアンテナをテープ搬送方向の上流側に位置するものから下流側に位置するものへ順次切り替えるよう指定していたが、これに限られず、複数のアンテナのうち最も強い受信信号強度が得られるアンテナを無線通信に用いるよう切り替えてもよい。受信信号強度はＲＳＳＩ回路４８により検出される。
【０１５５】
図１９は、本変形例の制御回路３０が実行する上記図１６に示した制御フローのステップＳ５００の詳細手順を表すフローチャートであり、前述の図１７に対応する図である。
【０１５６】
この図１９において、まずステップＳ６０５において、制御回路３０からの切替信号によりアンテナスイッチ回路３４１を切り替えて、第１アンテナ１４Ａを送受分離器３４に接続する。
【０１５７】
そしてステップＳ６１０に移り、無線タグ回路素子Ｔoに記憶された情報を読み出す「Scroll
All ID」コマンドを信号処理回路２２に出力する。これに基づき信号処理回路２２でアクセス情報としての「Scroll All ID」信号が生成されて高周波回路２１Ａを介してアクセス対象の無線タグ回路素子Ｔoに送信され、返信を促す。
【０１５８】
その後、ステップＳ６１５において、上記「Scroll All ID」信号に対応してアクセス対象の無線タグ回路素子Ｔoから送信されたリプライ信号を第１アンテナ１４Ａを介して受信し、そのリプライ信号の強度を示すＲＳＳＩ信号を受信部３３内のＲＳＳＩ回路４８（図１５等を参照）から取り込んで（例えば制御回路３０内の適宜の記憶手段に）保存する。
【０１５９】
次にステップＳ６２０に移り、制御回路３０からの切替信号によりアンテナスイッチ回路３４１を切り替えて、第２アンテナ１４Ｂを送受分離器３４に接続する。
【０１６０】
そしてステップＳ６２５に移り、上記ステップＳ６１０と同様に「Scroll All
ID」コマンドをアクセス対象の無線タグ回路素子Ｔoに送信し、次のステップＳ６３０において、上記ステップＳ６１５と同様に無線タグ回路素子Ｔoから送信されたリプライ信号を受信して、そのＲＳＳＩ信号を取り込み保存する。
【０１６１】
次にステップＳ６３５に移り、制御回路３０からの切替信号によりアンテナスイッチ回路３４１を切り替えて、第３アンテナ１４Ｃを送受分離器３４に接続する。
【０１６２】
そしてステップＳ６４０に移り、上記ステップＳ６１０と同様に「Scroll All
ID」コマンドをアクセス対象の無線タグ回路素子Ｔoに送信し、次のステップＳ６４５において、上記ステップＳ６１５と同様に無線タグ回路素子Ｔoから送信されたリプライ信号を受信して、そのＲＳＳＩ信号を取り込み保存する。
【０１６３】
次にステップＳ６５０に移り、上記記憶手段に保存した３つのＲＳＳＩ信号を比較して最も値の大きいＲＳＳＩ信号を選択する。そして次のステップＳ６５５において、上記アンテナ１４Ａ〜Ｃのうち上記選択したＲＳＳＩ信号に対応するアンテナを送受分離器３４に接続するようアンテナスイッチ回路３４１に切替信号を出力してこのフローを終了する。
【０１６４】
以上のルーチンを上記第２実施形態の図１６のフローにおけるステップＳ５００のアンテナ切り替え・タグ情報読み取り処理の手順で実行することにより、複数の第１〜第３アンテナ１４Ａ〜１４Ｃのうち最も強い受信信号強度が得られるアンテナを無線通信に用いるよう切り替えることができる。
【０１６５】
以上において、制御回路３０が実行する図１９に表す制御フローが、複数のアンテナそれぞれにおける受信信号強度に応じて、１つのアンテナにおける受信信号を選択して取得する選択取得手段に相当する。
【０１６６】
本変形例においては、上記実施形態と同様の効果に加え、さらに以下の効果を得る。すなわち、無線タグ回路素子Ｔoを備えた基材テープ１０１及び印字済みタグラベル用テープ１１０の搬送経路や各第１〜第３アンテナ１４Ａ〜１４Ｃの周囲には、カッタ１５などの金属部材やソレノイド２６などの磁性部材が配置されているため、それらが電波環境に多少なりとも影響を与える可能性があり、必ずしも無線タグ回路素子Ｔoに最も近いアンテナが最も良好な無線通信のアクセスを行えるとは限らない。
【０１６７】
本変形例においては、アンテナ制御手段として上記選択取得手段を備えていることにより、電波環境に応じ、搬送される無線タグ回路素子Ｔoから最も近いアンテナに限らず、最も強い受信信号強度が得られたアンテナの当該受信信号を用いることで、さらに確実にアクセス成功率を向上することができる。
【０１６８】
なお、本変形例においては、上記選択取得手段により選択されたアンテナを用いて無線タグ回路素子Ｔoから受信信号を得ていたが、その選択されたアンテナを用いて前述のように無線タグ回路素子ＴoのＩＣ回路部に無線タグ情報の書き込みを行う場合にも有効であることは言うまでもない。
【０１６９】
また、本変形例においては、搬送中の無線タグ回路素子Ｔoに対するタグ情報の読み取り（又は書き込み）を開始するタイミングの判定（上記図１６中のステップＳ１２０の判定）として、マーキングセンサ５２による基材テープ１０１のマーキングＭの検出の代わりに、上記選択取得手段（図１９に表す制御フロー）により無線タグ回路素子Ｔoから適切な信号強度の受信信号を検出したタイミングで判定することも可能である。
【０１７０】
本発明の第３の実施形態を図２０〜図２３により説明する。本実施形態は、アンテナとして複数の（この例では３つの）第１〜第３アンテナ素子１４Ｅ，１４Ｆ，１４Ｇを備えたいわゆるアレイ型アンテナ１４１を用い、無線タグ回路素子Ｔoの搬送速度及び移動方向に追従してアレイ型アンテナ１４１による指向性方向が切り替えられるように制御するものである。上記第１実施形態及び上記第２実施形態と同等の部分には同一の符号を付し、適宜説明を省略する。
【０１７１】
図２０は、本実施形態の無線タグ情報通信装置２の詳細構造を表す概念的構成図であり、上記第２実施形態の図１４に相当する図である。図２０において、高周波回路２１Ｂには上記したように３つの第１〜第３アンテナ素子１４Ｅ，１４Ｆ，１４Ｇが接続されており、これら全体でアレイ型アンテナ（送受信手段）１４１を構成する。このアレイ型アンテナ１４１が、印字済タグラベル用テープ１１０に備えられる無線タグ回路素子Ｔoとの間で、ＵＨＦ帯やマイクロ波帯等の高周波を用いて無線通信により信号の送受を行う。
【０１７２】
第１アンテナ素子１４Ｅ、第２アンテナ素子１４Ｆ、第３アンテナ素子１４Ｇは、この順で印字済みタグラベル用テープ１１０のテープ搬送方向の上流側から下流側に沿って等間隔に配置され、固定されている。
【０１７３】
マーキングセンサ（検出手段）５２はテープ搬送方向の最も上流側に位置する第１アンテナ素子１４Ｅからさらに所定距離Ｌだけテープ搬送方向の上流側に位置しており、これによりマーキングセンサ５２が剥離紙１０１ｄ上のマーキング（識別子）Ｍを検出した際には、無線タグ回路素子Ｔoの中央位置は最上流側の第１アンテナ素子１４Ｅの位置と略一致するようになっている。
【０１７４】
図２０における他の構成は第２実施形態の図１４と同様である。
【０１７５】
図２１は、上記高周波回路２１Ｂの詳細機能を表す機能ブロック図であり、上記第２実施形態の図１５に相当する図である。図２１に示すように、この高周波回路２１Ｂでは、送受信機能を両方備えた上記第１〜第３アンテナ素子１４Ｅ〜１４Ｇ（これら全体でアレイ型アンテナ１４１）に接続された指向性制御手段（さらには通信領域移動手段をも構成する）としての指向性制御部（フェイズドアレイ制御部あるいはビームフォーミング制御部）２１１と、指向性制御部２１１を介し第１〜第３アンテナ素子１４Ｅ〜１４Ｇより無線タグ回路素子Ｔoに対して信号を送信する送信部２１２と、第１〜第３アンテナ素子１４Ｅ〜１４Ｇにより受信された無線タグ回路素子Ｔoからの反射波を入力する受信部２１３とから構成される。
【０１７６】
指向性制御部２１１は、第１〜第３アンテナ素子１４Ｅ，１４Ｆ，１４Ｇに係わる送信波制御ユニット２０１Ａ，２０１Ｂ，２０１Ｃと、第１〜第３アンテナ素子１４Ｅ，１４Ｆ，１４Ｇに係わる受信波制御ユニット２０２Ａ，２０２Ｂ，２０２Ｃと、受信波制御ユニット２０２Ａ，２０２Ｂ，２０２Ｃからの出力を加算する加算器２０３と、送信波制御ユニット２０１Ａ又は受信波制御ユニット２０２Ａと第１アンテナ素子１４Ｅとを一方向的に接続する、すなわち送信波制御ユニット２０１Ａからの信号を第１アンテナ素子１４Ｅに伝送すると同時に、第１アンテナ素子１４Ｅで受信した信号を受信波制御ユニット２０２Ａに伝送する（例えばサーキュレーダ等からなる、以下同様）送受分離器３４Ａと、送信波制御ユニット２０１Ｂ又は受信波制御ユニット２０２Ｂと第２アンテナ素子１４Ｆとを一方向的に接続する送受分離器３４Ｂと、送信波制御ユニット２０１Ｃ又は受信波制御ユニット２０２Ｃと第３アンテナ素子１４Ｇとを一方向的に接続する送受分離器３４Ｃとを有する。
【０１７７】
送信波制御ユニット２０１Ａ，２０１Ｂ，２０１Ｃは、制御回路３０からの送信波制御信号を入力し、この送信波制御信号に含まれる位相制御信号に応じて第１〜第３アンテナ素子１４Ｅ，１４Ｆ，１４Ｇにおける送信信号の位相を可変に設定する移相器２０５Ａ，２０５Ｂ，２０５Ｃと、制御回路３０からの送信波制御信号に含まれる振幅制御信号を入力しこれに応じて移相器２０５Ａ，２０５Ｂ，２０５Ｃから入力した信号を増幅し上記送受分離器３４Ａ，３４Ｂ，３４Ｃにそれぞれ出力する送信側可変ゲインアンプ２０６Ａ，２０６Ｂ，２０６Ｃとを備えている。
【０１７８】
受信波制御ユニット２０２Ａ，２０２Ｂ，２０２Ｃは、制御回路３０からの受信波制御信号を入力しこれに応じて第１〜第３アンテナ素子１４Ｅ，１４Ｆ，１４Ｇにおける受信信号の位相を可変に設定する移相器２０７Ａ，２０７Ｂ，２０７Ｃと、制御回路３０からの受信波制御信号に含まれる振幅制御信号を入力しこれに応じて移相器２０７Ａ，２０７Ｂ，２０７Ｃから入力した信号を増幅し上記加算器２０３に出力する受信側可変ゲインアンプ２０８Ａ，２０８Ｂ，２０８Ｃとを備えている。なお、送信側可変ゲインアンプ２０６Ａ，２０６Ｂ，２０６Ｃ及び受信側可変ゲインアンプ２０８Ａ，２０８Ｂ，２０８Ｃの代わりに可変減衰器を用いても良い。
【０１７９】
送信部２１２は、前述した無線タグ回路素子ＴoのＩＣ回路部１５１の無線タグ情報にアクセスする(読み取り／書き込みを行う)ための搬送波を発生させる水晶振動子３５、ＰＬＬ３６、及びＶＣＯ３７と、上記制御回路３０から供給される信号に基づいて搬送波を変調する送信側乗算回路３８とを備えている。上記送信側乗算回路３８により変調された変調波は上記送信波制御ユニット２０１Ａ，２０１Ｂ，２０１Ｃへ供給され、さらに送受分離器３４Ａ，３４Ｂ，３４Ｃ及び第１〜第３アンテナ素子１４Ｅ，１４Ｆ，１４Ｇを介し無線タグ回路素子ＴoのＩＣ回路部１５１に供給される。
【０１８０】
受信部２１３は、第１〜第３アンテナ素子１４Ｅ，１４Ｆ，１４Ｇで受信され上記受信波制御ユニット２０２Ａ，２０２Ｂ，２０２Ｃを経て加算器２０３で合波された無線タグ回路素子Ｔoからの反射波と上記送信部２１２で発生させられた搬送波とを乗算して復調する上記受信第１乗算回路４０と、前述した第１バンドパスフィルタ４１、第１リミッタ４２、及び受信第１アンプ４３と、上記第１〜第３アンテナ素子１４Ｅ，１４Ｆ，１４Ｇで受信され上記受信波制御ユニット２０２Ａ，２０２Ｂ，２０２Ｃを経て加算器２０３で合波された無線タグ回路素子Ｔoからの反射波と上記送信部２１２で発生された後に移相器４９により位相が９０°遅延された搬送波とを乗算する上記受信第２乗算回路４４と、第２バンドパスフィルタ４５、第２リミッタ４６、及び受信第２アンプ４７と、上記ＲＳＳＩ回路４８とを備えている。
【０１８１】
信号処理回路２２は、上述した高周波回路受信部２１３からの受信信号等を入力した後所定の演算処理を行い、これに応じて変調制御信号を上記送信部２１２の送信側乗算回路３８へ出力する。また制御回路３０は、上記信号処理回路２２の演算処理結果に応じ上記送信波制御ユニット２０１Ａ，２０１Ｂ，２０１Ｃ及び受信波制御ユニット２０２Ａ，２０２Ｂ，２０２Ｃへの送信波制御信号、受信波制御信号等を出力する。
【０１８２】
本実施形態は、指向性制御の一例として、複数の第１〜第３アンテナ素子１４Ｅ，１４Ｆ，１４Ｇからなるアレイ型アンテナ１４１の利得を所定の方向に大きくなるよう保持しつつ、その方向が順次変化するように、複数の第１〜第３アンテナ素子１４Ｅ，１４Ｆ，１４Ｇの受信信号を位相制御するいわゆるフェイズドアレイ制御（あるいはビームフォーミング制御）による指向性制御を行うものである。すなわち、信号受信時に１つの信号が第１〜第３アンテナ素子１４Ｅ，１４Ｆ，１４Ｇに対し角度を持って斜めから伝搬した場合に、それら第１〜第３アンテナ素子１４Ｅ，１４Ｆ，１４Ｇでその行路長の差だけ受信電波の位相に差が出ることを利用し、この位相差がなくなり、且つ振幅が同程度の信号になるように受信波制御信号により移相器及び可変ゲインアンプを制御することにより、指向性方向（＝指向角）を所望の方向に向けることができる（また信号送信時にも上記同様の原理で所望の指向角へ信号送信を行うことができる）。特に、本実施形態では、制御回路３０が第１〜第３アンテナ素子１４Ｅ〜Ｇから成るアレイ型アンテナ１４１の指向角を変化させることで、搬送中の基材テープに備えられた無線タグ回路素子Ｔoをその搬送速度及び移動方向に応じて追従することを最大の特徴としている。
【０１８３】
図２２は、本実施形態の無線タグ情報通信装置２に備えられる制御回路３０によって実行される制御手順を表すフローチャートであり、上記第２の実施形態の図１６に対応する図である。図１６と同等の手順には同一の符号を付している。
【０１８４】
図２２において、無線タグ情報通信装置２の読み取り操作が行われるとこのフローが開始され、まずステップＳ１０５において、印字ヘッド１０により無線タグラベルＴへ印字すべき印字情報が読み込まれる。
【０１８５】
その後、ステップＳ１１０Ｃにおいて、無線タグ回路素子Ｔoからの応答がない等によりリトライを行うときのリトライ回数（アクセス試行回数）をカウントする変数Ｎ、及び通信良好か不良かを表すフラグＦを０に初期化するとともに、指向性方向を決定する指向角θを初期値θo（後述するように読み取り開始状態に対応）に設定する。
【０１８６】
そして、ステップＳ１１５において、前述と同様、リボン巻取りローラ１０６及び圧着ローラ１０７を回転駆動させ、基材テープ１０１及びカバーフィルム１０３が繰り出される。またこのとき、印字ヘッド１０を通電して、カバーフィルム１０３に、印字Ｒを印刷させる。さらに送出ローラ１７を回転駆動させて基材テープ１０１と上記印刷が終了したカバーフィルム１０３とが上記圧着ローラ１０７及びサブローラ１０９により接着されて一体化され、印字済タグラベル用テープ１１０として形成され、カートリッジ体１００外方向へと搬送される。
【０１８７】
その後、ステップＳ１２０において、印字済タグラベル用テープ１１０がタグ情報の読み取り開始位置まで搬送されたかどうかを判断する。このときの搬送位置判定は、第２の実施形態の図１６の場合と同様に上記基材テープ１０１のマーキングＭをマーキングセンサ５２で検出することにより行う。そしてマーキングＭが検出された際には、前述したように、最上流側の第１アンテナ素子１４Ｅと無線タグ回路素子Ｔoの中央位置とが一致して読み取り開始状態となる。上記ステップＳ１１０Ｃで設定した指向角θの初期値θoは、この読み取り開始状態における無線タグ回路素子Ｔoの中央位置にアレイ型アンテナ１４１の指向性方向を向けた状態の指向角に略対応するように、予め設定されている。この状態になったらステップＳ１２０の判定が満たされ、ステップＳ７００に移る。
【０１８８】
ステップＳ７００では、アレイ型アンテナ１４１の指向性方向を指向角θに対応させて切り替えつつ、無線タグ情報の読み取りを行う（＝指向性方向切り替え・タグ情報読み取り処理）。この処理では、指向角θが初期値θoから所定のきざみ角θstepを加算して変化するのに対応して、第１〜第３アンテナ素子１４Ｅ，１４Ｆ，１４Ｇの受信電波の位相を制御するよう受信波制御ユニット２０２Ａ，２０２Ｂ，２０２Ｃへの受信波制御信号（書き込みを行う場合は送信波制御ユニット２０１Ａ，２０１Ｂ，２０１Ｃへの送信波制御信号）等を決定して出力し、各指向角において問いかけ信号の送信を行う（詳しくは後述する図２３参照）。
【０１８９】
その後、ステップＳ１２５以降の手順は前述と同様であるので説明を省略する。
【０１９０】
図２３は、上述したステップＳ７００の詳細手順を表すフローチャートである。
【０１９１】
図２３において、まずステップＳ７０５で、上記アレイ型アンテナ１４１の指向角θに応じ、第１〜第３アンテナ素子１４Ｅ〜１４Ｇの受信信号の位相を決定する。
【０１９２】
次に、ステップＳ７１０に移り、上記ステップＳ７０５で決定された第１〜第３アンテナ素子１４Ｅ〜１４Ｇの受信信号の位相に応じて、それぞれ受信波制御ユニット２０２Ａ，２０２Ｂ，２０２Ｃへ制御信号を出力する。
【０１９３】
その後、上記ステップＳ２００に移り、前述と同様、問いかけ信号を無線タグ回路素子Ｔoに送信し、無線タグ情報を含む返答信号を受信して読み込むタグ情報読み取り処理を行った（前述の図１１参照）後、ステップＳ７１２に移る。
【０１９４】
ステップＳ７１２では、前述のフラグＦ＝０であるかどうかを判定する。上記ステップＳ２００においてリプライ信号により無線タグ情報の読み取りが正常に完了していればＦ＝０のままであることから（図１１参照）この判定が満たされ、このルーチンを終了する。ステップＳ２００で無線タグ情報の読み取りが正常に完了していなければＦ＝１となっている（図１１のステップＳ２８０参照）ことからこの判定が満たされず、ステップＳ７１５に移る。
【０１９５】
ステップＳ７１５では、上記指向角θが終了角θend以上にあるか否か、つまり指向性変化方向（θの増大方向）の無線タグ回路素子Ｔoの追従がテープ搬送方向の最下流位置に到達しているか否かを判定する。指向角θが終了角θend以上でああった場合はこの判定が満たされ、ステップＳ７１７で上記フラグＦ＝１としてこのフローを終了する。指向角θが終了角θend未満であった場合にはステップＳ７１５の判定が満たされず、次のステップＳ７２０で指向角θに上記きざみ角θstepを加算してステップＳ７０５に戻り、同様の手順を繰り返す。
【０１９６】
以上のようにして、搬送される無線タグ回路素子Ｔoと正常な通信が完了するまでは、θをθstepずつ増やしながら問いかけ信号の送信を反復継続し、これによって搬送方向への無線タグ回路素子Ｔoへの追尾を行う。
【０１９７】
以上のように、本実施形態においては、複数の第１〜第３アンテナ素子１４Ｅ〜１４Ｇからなるアレイ型アンテナ１４１を配置し、無線タグ回路素子Ｔoを備えた印字済みタグラベル用テープ１１０が搬送されるとき、マーキングセンサ５２の検出結果による無線タグ回路素子Ｔoの位置検出を契機に、指向性制御部（フェイズドアレイ制御部）２１１がアレイ型アンテナ１４１の利得を所定の方向に大きくなるよう保持しつつ、その方向を順次変化するよう複数の第１〜第３アンテナ素子１４Ｅ〜１４Ｇの受信信号を位相制御するいわゆるフェイズドアレイ制御を開始する。これになり、複数の第１〜第３アンテナ素子１４Ｅ〜１４Ｇによる指向性方向を無線タグ回路素子Ｔoの搬送方向に沿って移動させ、追従させることができる。これにより本実施形態においても、上記第１及び第２実施形態と同様、通信時間を長く確保することができるので、無線タグ回路素子Ｔoへのアクセス成功率を向上できるという効果を得る。
【０１９８】
なお、指向性制御部２１１がフェイズドアレイ制御を開始する契機は、上記のような検出手段としてのマーキングセンサ５２のマーキング（識別子）の検出結果による方式には限られない。すなわち、例えばアレイ型アンテナ１４１が搬送される無線タグ回路素子Ｔoの位置を検出するための位置検出信号（「Scroll ID」信号又は「Ping」信号等）を無線タグ回路素子Ｔoに送信するとともに、その位置検出信号に応じて無線タグ回路素子Ｔoより送信される応答信号を受信し、指向性制御部２１１が、受信された応答信号に応じて指向性方向切替処理を行うように、アレイ型アンテナ１４１を制御してもよい。この場合、応答信号の受信による無線タグ回路素子Ｔoの位置検出を契機に、指向性制御部２１１が指向性方向の切替制御を開始することができる。
【０１９９】
また、上記第３実施形態においても、上記第１実施形態と同様に読み取りのみ可能な(書き込みは不可の)無線タグの生成システムへの適用に限られず、無線タグ回路素子ＴoのＩＣ回路部１５１に無線タグ情報の書き込みを行う無線タグの生成システムに適用してもよい。この場合も同様の効果を得る。
【０２００】
なお、以上説明した本発明の各実施形態においては、長手方向に複数の無線タグ回路素子Ｔoが順次形成された基材テープ１０１を第１ロール１０２に巻き回したカートリッジ１００を用いたが、これに限られず、それぞれに１つの無線タグ回路素子Ｔoが形成された平紙状の複数のラベル素材を、平積み方向に積層して収納するトレイ部材（いわゆるスタックタイプのもの）を無線タグ回路素子収納部として用いてもよい。
【０２０１】
また、カートリッジ１００のような無線タグ情報通信装置本体側に着脱可能なものにも限られず、装置本体側に着脱不能のいわゆる据え付け型あるいは一体型のものを用い、その中に上記第１ロール１０２を設けてもよい。この場合も同様の効果を得る。
【０２０２】
また、以上において、印字及び無線タグ回路素子Ｔoへのアクセス（読み取り又は書き込み）の終了した印字済みタグラベル用テープ１１０をカッタ１５で切断してタグラベルＴを作成した場合を例にとって説明したが、これに限られない。すなわち、ラベルに対応した所定の大きさに予め分離されたラベル台紙（いわゆるダイカットラベルがタグ媒体となる場合）がロールから繰り出されるテープ上に連続配置されているような場合には、カッタ１５で切断しなくても、テープが排出口１６から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【０２０３】
また、以上においては、無線タグ回路素子Ｔoを備えた基材テープ１０１とは別のカバーフィルム１０３に印字を行ってこれらを貼り合わせる方式であったが、これに限られず、例えば感熱テープ等からなるタグテープに備えられたカバーフィルムに印字を行う方式（貼りあわせを行わないタイプ）に本発明を適用してもよい。さらに、無線タグ回路素子ＴoのＩＣ回路部１５１から無線タグ情報の読み出し又は書き込みを行うと共に、印字ヘッド１０によってその無線タグ回路素子Ｔoを識別するための印刷を行うものにも限られない。この印刷は必ずしも行われなくともよく、無線タグ情報の読み出し又は書き込みのみを行うものに対し本発明を適用することもできる。
【０２０４】
また、以上においては、タグ媒体としての基材テープ１０１（又は感熱テープ）がリール部材１０２ａの周りに巻回されてロール１０２を構成し、カートリッジ１００内にそのロール１０２が配置されて上記テープ１０１が繰り出される場合を例にとって説明したが、これに限られない。例えば、無線タグ回路素子Ｔoが少なくとも一つ配置された長尺平紙状あるいは短冊状のテープやシート（＝タグ媒体；ロールに巻回されたテープを繰り出した後に適宜の長さに切断して形成したものを含む）をスタックしてカートリッジ化し、このカートリッジを無線タグ情報通信装置２側のカートリッジホルダに装着してテープやシートを移送・搬送して印字及び読み取り・書き込みを行いタグラベルを作成するようにしてもよい。この場合も、その移送・搬送中に通信領域を当該移送・搬送速度に応じて移動させつつ情報読み取り又は書き込みを行うことで、同様の効果を得ることができる。
【０２０５】
なお、以上で用いた「Scroll ID」信号、「Ping」信号、「Erase」信号、「Verify」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０２０６】
また、以上既に述べた以外にも、上記実施形態や各変形例による手法を適宜組み合わせて利用しても良い。
【０２０７】
その他、一々例示はしないが、本発明は、その趣旨を逸脱しない範囲内において、種々の変更が加えられて実施されるものである。
【図面の簡単な説明】
【０２０８】
【図１】本発明の各実施形態の無線タグ情報通信装置が適用される無線タグ生成システムを表すシステム構成図である。
【図２】本発明の第１実施形態の無線タグ情報通信装置の詳細構造を表す概念的構成図である。
【図３】第１実施形態に用いる折り曲げダイポールアンテナの外観を表す上面図及び側面図である。
【図４】カートリッジの詳細構造を説明するための説明図である。
【図５】高周波回路の詳細機能を表す機能ブロック図である。
【図６】無線タグ回路素子の機能的構成を表す機能ブロック図である。
【図７】無線タグラベルの外観の一例を表す上面図及び下面図である。
【図８】図７（ａ）中VIII−VIII′断面による横断面図である。
【図９】無線タグ情報へのアクセスに際して、端末又は汎用コンピュータに表示される画面の一例を表す図である。
【図１０】制御回路によって実行される制御手順を表すフローチャートである。
【図１１】図１０に示したステップＳ２００の詳細手順を表すフローチャートである。
【図１２】無線タグ回路素子に情報書き込みを行う変形例における制御回路で実行する無線タグラベルの作成手順を表すフローチャートである。
【図１３】図１２に示したステップＳ２００Ａの詳細手順を表すフローチャートである。
【図１４】本発明の第２の実施形態の無線タグ情報通信装置の詳細構造を表す概念的構成図である。
【図１５】高周波回路の詳細機能を表す機能ブロック図である。
【図１６】制御回路によって実行される制御手順を表すフローチャートである。
【図１７】図１６に示したステップＳ５００の詳細手順を表すフローチャートである。
【図１８】アンテナ配置を概念的に表す説明図である。
【図１９】最も強い受信信号強度が得られるアンテナを指定して切り替える変形例の制御回路が実行するステップＳ５００の詳細手順を表すフローチャートである。
【図２０】本発明の第３の実施形態の無線タグ情報通信装置の詳細構造を表す概念的構成図である。
【図２１】高周波回路の詳細機能を表す機能ブロック図である。
【図２２】制御回路によって実行される制御手順を表すフローチャートである。
【図２３】図２２に示したステップＳ７００の詳細手順を表すフローチャートである。
【符号の説明】
【０２０９】
２                無線タグ情報通信装置
１２              圧着ローラ駆動軸
１４              アンテナ（送受信手段；折り曲げダイポールアンテナ）
１４Ａ〜１４Ｃ    第１〜第３アンテナ（送受信手段；複数のアンテナ）
１４Ｅ〜１４Ｇ    第１〜第３アンテナ素子（送受信手段；複数のアンテナ素子）
３０              制御回路（領域移動手段；アンテナ制御手段）
５１              アンテナ駆動機構（領域移動手段；駆動手段）
５２              マーキングセンサ（検出手段）
５３              アンテナ駆動用モータ（領域移動手段；駆動手段）
５４              アンテナ駆動回路（領域移動手段；駆動手段）
１０１            基材テープ（タグ媒体）
１０７            圧着ローラ（搬送手段）
１０９            サブローラ（搬送手段）
１１０            印字済みタグラベル用テープ（タグ媒体）
１４１            アレイ型アンテナ（送受信手段；複数のアンテナ素子からなるアンテナ）
１５１            ＩＣ回路部
２１１            指向性制御部（領域移動手段；指向性制御手段）
３４１            アンテナスイッチ回路（領域移動手段；アンテナ制御手段）
Ｍ                マーキング（識別子）
Ｔo               無線タグ回路素子
【図１】
2007047955.tif 000003
【図２】
2007047955.tif 000004
【図３】
2007047955.tif 000005
【図４】
2007047955.tif 000006
【図５】
2007047955.tif 000007
【図６】
2007047955.tif 000008
【図７】
2007047955.tif 000009
【図８】
2007047955.tif 000010
【図９】
2007047955.tif 000011
【図１０】
2007047955.tif 000012
【図１１】
2007047955.tif 000013
【図１２】
2007047955.tif 000014
【図１３】
2007047955.tif 000015
【図１４】
2007047955.tif 000016
【図１５】
2007047955.tif 000017
【図１６】
2007047955.tif 000018
【図１７】
2007047955.tif 000019
【図１８】
2007047955.tif 000020
【図１９】
2007047955.tif 000021
【図２０】
2007047955.tif 000022
【図２１】
2007047955.tif 000023
【図２２】
2007047955.tif 000024
【図２３】
2007047955.tif 000025